(57)【要約】  本発明に係る空気調和機の室内機は、冷凍サイクルを構成する冷媒回路に可燃性冷媒を使用し、前面下部に形成された吸込口、前面上部に形成された１つの吹出口、及び、吸込口と吹出口とを連通する風路を有する筐体と、風路内に設けられた熱交換器と、風路内に設けられ、風路内に空気の流れを作る送風ファンと、吹出口に設けられ、吹出口から吹き出される空気流を同期間に上下２方向に分割する風向調整部と、筐体の内部に位置し、熱交換器に可燃性冷媒を供給する配管同士が接続されている配管接続部と、筐体内に設けられ、配管接続部からの可燃性冷媒の漏洩を検知する冷媒漏洩検知手段と、冷媒漏洩検知手段からの情報によって配管接続部から可燃性冷媒の漏洩を検知したとき風向調整部の向きを変更する制御装置と、を有している。
2017168834.tif 000002
【特許請求の範囲】
【請求項１】
冷凍サイクルを構成する冷媒回路に可燃性冷媒を使用している空気調和機の室内機であって、
前面下部に形成された吸込口、前面上部に形成された１つの吹出口、及び、前記吸込口と前記吹出口とを連通する風路を有する筐体と、
前記風路内に設けられた熱交換器と、
前記風路内に設けられ、前記風路内に空気の流れを作る送風ファンと、
前記吹出口に設けられ、前記吹出口から吹き出される空気流を同期間に上下２方向に分割する風向調整部と、
前記筐体の内部に位置し、前記熱交換器に前記可燃性冷媒を供給する配管同士が接続されている配管接続部と、
前記筐体内に設けられ、前記配管接続部からの前記可燃性冷媒の漏洩を検知する冷媒漏洩検知手段と、
前記冷媒漏洩検知手段からの情報によって前記配管接続部から前記可燃性冷媒の漏洩を検知したとき前記風向調整部の向きを変更する制御装置と、を有する
空気調和機の室内機。
【請求項２】
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、下吹きの風向を左右にスイングさせる
請求項１に記載の空気調和機の室内機。
【請求項３】
前記風向調整部は、風向を左右に変化させる左右風向板を有し、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右にスイングさせる
請求項１に記載の空気調和機の室内機。
【請求項４】
前記風向調整部は、風向を左右に変化させる左右風向板を有し、
前記左右風向板は、前記筐体の中央を中心に左右でそれぞれ異なる向きに制御できるように構成されており、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右２方向に分割させる
請求項１に記載の空気調和機の室内機。
【請求項５】
前記風向調整部は、風向を左右に変化させる左右風向板を有し、
前記左右風向板は、前記筐体の中央を中心に左右でそれぞれ異なる向きに制御できるように構成されており、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右２方向でスイングさせる
請求項１に記載の空気調和機の室内機。
【請求項６】
前記吸込口を開閉できるシャッター構造を備え、
前記シャッター構造は、前記筐体の中央を中心として左右に分割されており、
前記制御装置は、
前記シャッター構造を制御して前記吸込口の片側を閉じる
請求項１〜５のいずれか一項に記載の空気調和機の室内機。
【請求項７】
前記筐体に、フィルタと、前記フィルタを巻き取るフィルタ巻き取り装置と、を備え、
前記制御装置は、
前記フィルタ巻き取り装置を制御して前記風路から前記フィルタを取り除く
請求項１〜６のいずれか一項に記載の空気調和機の室内機。
【請求項８】
前記風向調整部は、
少なくとも３つの上下風向板で構成されており、
前記３つの上下風向板のうち最も上流側に設置されている第１風向板によって空気流を上下２方向に分割し、
前記３つの上下風向板のうち前記第１風向板よりも下流側に設置されている第２風向板及び第３風向板によって分割した空気流を合流させずに下吹き及び上吹きとする
請求項１〜７のいずれか一項に記載の空気調和機の室内機。
【発明の詳細な説明】
【技術分野】
【０００１】
本発明は、吹出空気の流れを制御することで漏洩した冷媒を拡散する冷媒漏洩対策機能を備えた空気調和機の室内機に関するものである。
【背景技術】
【０００２】
近年、Ｒ４１０Ａに代わる冷媒として地球温暖化係数の少ないＲ３２などの可燃性冷媒を用いた空気調和機が提案されている。可燃性冷媒は、空気よりも比重が重い。このような特徴上、室内機内部、及び、室内熱交換器と室外機とが接続される配管接続部位から冷媒が漏洩すると、漏洩冷媒に着火する可能性がある。例えば、床置き形の室内機を有する空気調和機の場合は、室内機が設置されている空間の床面周辺に漏洩した冷媒が滞留しやすく拡散しにくい形態となっている。【０００３】
このような問題点を解決するために、特許文献１のように冷媒検知センサーを室内機内部に搭載し、冷媒検知センサーが検知した場合に室内ファンを運転し、漏洩冷媒を拡散するようにした技術が提案されている。
【先行技術文献】
【特許文献】
【０００４】
【特許文献１】特開２０１５−９４５６６号公報
【発明の概要】
【発明が解決しようとする課題】
【０００５】
特許文献１に記載の技術では、床面に向かって風を吹きつけることにより漏洩した冷媒の濃度上昇を防ぐ手法を採っている。このとき、冷媒漏洩が、室内機内部もしくは室内機近傍より発生することを考慮する必要がある。室内機内部で漏洩した冷媒は、室内ファン運転によりユニット内部で空気と混合し、吹出風により室内機外部へと放出される。また、室内機外部へ流出した冷媒は、吸込風により室内機内部に取り込まれ、同様に室内ファン運転によりユニット内部で空気と混合され、吹出風により室内機外部へと放出される。【０００６】
つまり、風向を床面一方向に固定した場合は、漏洩した冷媒を含んだ気体を床面の一カ所に吹きつけることとなり、狭い空間では拡散効果が期待できないという問題点が特許文献１に記載の技術にはあった。【０００７】
この問題点の対策として、特許文献１では一定時間経過後に風向を変化させることが記載されている。取り込んだ冷媒を床面ではなく天井に向かって吹出すことにより、冷媒を強制的に拡散させることを可能としている。
しかしながら、冷媒漏洩の進行により吸込口より離れた個所まで漏洩冷媒が達することで吸込口から離れたところに冷媒が留まると、吸込風により室内機内部に取り込むことができなくなり、効果は失われてしまうと考えられる。【０００８】
さらに、風向をスイングさせた場合には、床面に吹き付ける場合と天井に吹きあげる場合の両方の利点が得られると考えられる。
しかしながら、単一の吹出風では冷媒漏洩の状況に対応させて適宜風向を変化させ続ける必要があるため、多様な状況下に対応できるスイング設定を行うことは、困難であると考えられる。【０００９】
本発明は、上記のような課題を解決するためになされたもので、吸込口より取り込んだ冷媒を空間の上部へ向かって吹出しつつ、同期間に吸込風が届かない範囲に向かって吹出風を当てることで、冷媒拡散における床面に吹き付ける場合と天井に吹きあげる場合の両方の利点を、実現できる冷媒漏洩対策機能を備えた空気調和機の室内機を提供することを目的とする。
【課題を解決するための手段】
【００１０】
本発明に係る空気調和機の室内機は、冷凍サイクルを構成する冷媒回路に可燃性冷媒を使用している空気調和機の室内機であって、前面下部に形成された吸込口、前面上部に形成された１つの吹出口、及び、前記吸込口と前記吹出口とを連通する風路を有する筐体と、前記風路内に設けられた熱交換器と、前記風路内に設けられ、前記風路内に空気の流れを作る送風ファンと、前記吹出口に設けられ、前記吹出口から吹き出される空気流を同期間に上下２方向に分割する風向調整部と、前記筐体の内部に位置し、前記熱交換器に前記可燃性冷媒を供給する配管同士が接続されている配管接続部と、前記筐体内に設けられ、前記配管接続部からの前記可燃性冷媒の漏洩を検知する冷媒漏洩検知手段と、前記冷媒漏洩検知手段からの情報によって前記配管接続部から前記可燃性冷媒の漏洩を検知したとき前記風向調整部の向きを変更する制御装置と、を有するものである。
【発明の効果】
【００１１】
本発明に係る空気調和機の室内機によれば、吹出口から吹き出される空気流を同期間に上下２方向に分岐させる風向調整部を有しているので、可燃性冷媒が配管接続部から漏洩したとしても、可燃性冷媒の濃度を効果的に低減できる。
【図面の簡単な説明】
【００１２】
【図１】本発明の実施の形態１に係る空気調和機の室内機の構成の一例を模式的に示す側面図である。
【図２】本発明の実施の形態１に係る空気調和機の室内機を正面から見た構成を示す正面図である。
【図３】本発明の実施の形態１に係る空気調和機の室内機を分解した状態を示す分解斜視図である。
【図４】本発明の実施の形態１に係る空気調和機の室内機の吹出口部分の構成を拡大して模式的に示した拡大図である。
【図５】本発明の実施の形態１に係る空気調和機の室内機の２方向上下同期間吹き運転の際の風向調整部の配置を説明するための説明図である。
【図６】本発明の実施の形態１に係る空気調和機の室内機の２方向上下同期間吹き運転に移行する際の処理の流れを示すフローチャートである。
【図７】本発明の実施の形態２に係る空気調和機の室内機の吹出口部分の構成を拡大して模式的に示した拡大図である。
【図８】本発明の実施の形態２に係る空気調和機の室内機の左右吹き運転の際の風向調整部の動作を説明するための上面図である。
【図９】本発明の実施の形態３に係る空気調和機の室内機の左右吹き運転の際の風向調整部の動作を説明するための上面図である。
【図１０】本発明の実施の形態４に係る空気調和機の室内機を分解した状態を示す分解斜視図である。
【図１１】本発明の実施の形態５に係る空気調和機の室内機の構成の一例を模式的に示す側面図である。
【図１２】本発明の実施の形態５に係る空気調和機の室内機の構成の一例を模式的に示す側面図である。
【発明を実施するための形態】
【００１３】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１４】
実施の形態１．
図１は、本発明の実施の形態１に係る空気調和機の室内機（以下、室内機１００と称する）の構成の一例を模式的に示す側面図である。図２は、室内機１００を正面から見た構成を示す正面図である。図３は、室内機１００を分解した状態を示す分解斜視図である。図４は、室内機１００の吹出口部分の構成を拡大して模式的に示した拡大図である。図５は、室内機１００の２方向上下同期間吹き運転の際の風向調整部７０の配置を説明するための説明図である。図１〜図５に基づいて、室内機１００の構成について説明する。なお、図２では、前面パネル８０及びフィルタ９０を取り外した状態を示している。
【００１５】
室内機１００は、床置き形空気調和機の室内機であり、略直方体形状の筐体１を備えている。筐体１は、空調対象空間の床に置かれるように構成されており、前面下部に形成された吸込口２、前面上部に形成された吹出口３、及び、吸込口２と吹出口３とを連通する風路４を有している。そして、筐体１の風路４内には、上流側から熱交換器１１及び送風ファン５が設けられている。熱交換器１１の下方には、熱交換器１１で発生する結露水を受けるドレンパン３０が設けられている。なお、風路４とは、吸込口２から、熱交換器１１及び送風ファン５を経由して、吹出口３に至る筐体１により囲まれた筐体１の内側部分で、空気の流れる経路となる部分のことを意味している。
【００１６】
熱交換器１１は、前面側熱交換器１２及び背面側熱交換器１３で構成されている。前面側熱交換器１２及び背面側熱交換器１３は、例えばフィンチューブ型熱交換器であり、所定間隔を介して筐体１の左右方向に並設された複数のフィンと、これらフィンの並設方向にこれらフィンを貫通し、内部に冷媒が流入する複数の伝熱管と、を備えている。
【００１７】
また、前面側熱交換器１２は、上方から下方にかけて筐体１の前面側から背面側に傾斜するように配置されている。背面側熱交換器１３は、上方から下方にかけて筐体１の背面側から前面側に傾斜するように配置されている。つまり、前面側熱交換器１２の下端部及び背面側熱交換器１３の下端部が、近接又は接触するようにして設けられている。換言すると、前面側熱交換器１２及び背面側熱交換器１３は、側面視において、空気流れの上流側から下流側に向かって両者の間が広がる、つまりＶ字状となるように風路４内に配置されている。
【００１８】
なお、前面側熱交換器１２及び背面側熱交換器１３は、例えば両者を一体化させたユニットとし筐体１の内部に取り付けられるようにしてもよいし、それぞれ別個に筐体１の内部に取り付けられるようにしてもよい。
【００１９】
送風ファン５は、風路４内において、熱交換器１１よりも空気流れの下流側となる位置、つまり熱交換器１１よりも上方に配置されている。送風ファン５が回転することにより、室内空気が吸込口２から風路４内に吸い込まれる。この室内空気は、冷房運転時、前面側熱交換器１２及び背面側熱交換器１３によって冷却されて空調空気となり、吹出口３から吹き出される。室内機１００の運転中は、送風ファン５の動作により、吸込口２、熱交換器１１、送風ファン５、吹出口３へと室内空気の循環流れを作り出す。
【００２０】
また、室内機１００は、冷媒漏洩を検知する冷媒漏洩検知手段である冷媒センサー５０が設置されている。冷媒センサー５０は、例えば筐体１の内部であって熱交換器１１に可燃性冷媒を供給する配管同士が接続されている配管接続部５１に設置するとよい。冷媒センサー５０での検知情報は、制御装置６０に送られる。制御装置６０は、冷媒センサー５０から送られた情報に基づいて冷媒が漏洩したかどうか判断する。なお、配管接続部５１は、熱交換器１１と図示省略の室外機とを接続している配管同士の接続部分であり、筐体１の内部に位置している。
【００２１】
前面パネル８０は、取り付けられることによって筐体１の前面側を構成するものである。前面パネル８０の前面下部に形成されている開口部が筐体１の吸込口２となり、前面パネル８０の前面上部に形成されている開口部が筐体１の吹出口３となる。なお、前面パネル８０の形状、大きさ、開口部の形状などを特に限定するものではない。
フィルタ９０は、風路４の一番上流側に交換可能に設置され、風路４内に吸い込まれる空気に含まれている塵埃を除去するものである。
【００２２】
本実施の形態１に係る空気調和機の冷凍サイクルを構成する冷媒回路には、冷媒として地球温暖化係数の小さい可燃性冷媒が用いられている。可燃性冷媒とは、空気に対する濃度が所定の範囲であるときに、着火源があると燃焼する冷媒のことである。そのような冷媒として、たとえば、ＨＦＯ１２３４ｙｆ、ＨＦＦ１１２３ｚｆ等の単一冷媒、もしくは、これらとＲ３２などのＨＦＣ混合冷媒、または、プロパン（Ｒ２９０）のような炭化水素系冷媒などがある。また、微燃性冷媒もここでは可燃性冷媒に含むものとする。
【００２３】
さらに、室内機１００は、風向調整部７０を有している。風向調整部７０は、吹出口３に設けられており、空気流と接触することで空気流の向きを変える、または分岐させるものである。風向調整部７０の向きは変更可能であり、風向調整部７０の向きにより空気流の向き、空気流の分岐数を変化させることが可能になっている。風向調整部７０の向きを変更するとき、空気流の届く位置、範囲を変化させる手段として、風量の変化を用いてもよい。風向調整部７０の駆動は、制御装置６０が実行する。
【００２４】
風向調整部７０は、第１風向板７０ａ、第２風向板７０ｂ、第３風向板７０ｃにより構成されている。第１風向板７０ａ、第２風向板７０ｂ、及び、第３風向板７０ｃは、それぞれ独立に向きの変更が可能になっている。
第１風向板７０ａは、吹出口３の一番上流側に設置されている。
第２風向板７０ｂは、第１風向板７０ａの下流、第３風向板７０ｃの上流に設置されている。
第３風向板７０ｃは、吹出口３の一番下流側に設置されている。
なお、第１風向板７０ａ、第２風向板７０ｂ、第３風向板７０ｃが、本発明の「上下風向板」に相当する。
【００２５】
なお、室内機１００は、本実施の形態１に係る空気調和機を統括制御する制御装置６０を備えている。制御装置６０は、冷媒センサー５０等の各検知器からの検出値に基づき、各アクチュエータ（送風ファン５、風向調整部７０などの駆動部品）の制御を行う。制御装置６０は、その機能を実現する回路デバイスのようなハードウェアで構成することもできるし、マイコンまたはＣＰＵのような演算装置と、その上で実行されるソフトウェアとにより構成することもできる。
【００２６】
次に、図４及び図５に基づいて、室内機１００が実行する２方向上下同期間吹き運転について説明する。
なお、水平面を基準に、上方向２０°以上の範囲に空気流が吹き出されるよう第２風向板７０ｂを動かすことを上吹きと定義する。また、水平面を基準に、下方向２０°以上の範囲に空気流が吹き出されるよう第３風向板７０ｃを動かすことを下吹きと定義する。さらに、上吹き、下吹きが同期間に実現されるよう第１風向板７０ａを動かすことを上下同期間吹きと定義する。
冷媒漏洩検知後、室内機１００では、送風ファン５の運転速度を検知時専用の値にして、上下同期間吹き運転を行うようになっている。
【００２７】
まず、送風ファン５の回転により発生した空気流と平行となるように第１風向板７０ａの向きを調整する。このように第１風向板７０ａを制御することにより、空気流は、上下２方向に分割されることになる。空気流が上下２方向分割されて以降は、風路は合流せずに隔てられている。
【００２８】
分割された空気流は、それぞれの吹出口３の付近に設けた第２風向板７０ｂ、第３風向板７０ｃにぶつかることにより、それぞれの風向板の向きに風向が変化される。
具体的には、第２風向板７０ｂを上向きに、第３風向板７０ｃを下向きに動かすことで、空気流を上吹き、下吹きの２方向にすることができ、２方向上下同期間吹き運転が実現する。
【００２９】
第２風向板７０ｂにより上方に吹き出す空気流には吸込口２より取り込んだ冷媒が含まれており、この冷媒を大気中に放出することで空気と混合させ、冷媒の濃度を低下させる。
また、第３風向板７０ｃにより下方に吹き出す空気流によって運ばれた冷媒と空気の混合気体は、空気と混じり合いながら吸込風の届かない範囲まで到達し、留まっている冷媒を吹き散らし、冷媒の濃度を低下させる、又は冷媒が留まることを防いでいる。
【００３０】
以上のように、室内機１００によれば、可燃性冷媒が配管接続部５１から漏洩したとしても、２方向上下同期間吹き運転を実行することにより、可燃性冷媒の濃度を効果的に低減できる。具体的には、吸込口２の付近に漏洩した冷媒は、送風ファン５の運転で生じた吸込風により筐体１の内部に取り込まれ、空気と混合され濃度が低下することになる。その後、吹出口３から２分割されて筐体１の外部に放出される。上吹きによって運ばれた冷媒と空気の混合気体は、大気中に放出されることによりさらに空気と混合され、濃度がさらに低下する。また、下吹きによって運ばれた冷媒と空気の混合気体は、空気と混じり合いながら吸込風の届かない範囲まで到達し、留まっている冷媒を吹き散らす、又は一定個所に留まることを防げる。
【００３１】
図６は、室内機１００の２方向上下同期間吹き運転に移行する際の処理の流れを示すフローチャートである。図６に基づいて、室内機１００の２方向上下同期間吹き運転に移行する際の処理の流れについて説明する。
【００３２】
室内機１００は、冷媒漏洩時に、２方向上下同期間吹き運転を実行するようになっている。
制御装置６０は、冷媒センサー５０を用いて冷媒漏洩の有無を検知する（ステップＳ１０１）。
冷媒の漏洩を検知しない場合には、制御装置６０は、冷媒漏洩の検知を繰り返す（ステップＳ１０１；Ｎｏ）。
一方、冷媒の漏洩を検知した場合には（ステップＳ１０１；Ｙｅｓ）、制御装置６０は、室内機１００が送風を行っているかを判定する（ステップＳ１０２）。
【００３３】
室内機１００が送風を行っていないと判定した場合（ステップＳ１０２；Ｎｏ）、制御装置６０は、送風ファン５を駆動させる（ステップＳ１０３）。
室内機１００が送風を行なっていると判定した場合（ステップＳ１０２；Ｙｅｓ）、あるいは、送風ファン５を駆動させた場合、制御装置６０は、２方向上下同期間吹き運転を行っているかどうかを判定する（ステップＳ１０４）。
２方向同期間吹き運転を行っていないと判定した場合（ステップＳ１０４；Ｎｏ）、制御装置６０は、２方向同期間吹き運転を開始する（ステップＳ１０５）。
【００３４】
２方向同期間吹き運転を行っていると判定した場合（ステップＳ１０４；Ｙｅｓ）、あるいは、２方向同期間吹き運転を開始させた場合、制御装置６０は、２方向同期間吹き運転の判定を終了した時点を基準として、一定時間送風運転を行う（ステップＳ１０６）。例えば、図６に例示するように、１時間、送風運転を実行するとよい。なお、送風運転の運転時間の例として１時間と記載したが、これに限定するものではなく、送風運転の時間は適宜設計事項とし変更可能となっている。
【００３５】
制御装置６０は、所定時間が経過したかどうかを判定する（ステップＳ１０７）。
所定時間が経過していない場合（ステップＳ１０７；Ｎｏ）には、制御装置６０は、所定時間が経過するまで時間カウントを継続する。
一方、所定時間が経過した場合には（ステップＳ１０７；Ｙｅｓ）、制御装置６０は、冷媒漏洩判定を再度行う（ステップＳ１０８）。
【００３６】
冷媒の漏洩を検知しない場合（ステップＳ１０８；Ｎｏ）、制御装置６０は、送風を終了し（ステップＳ１０９）、初期状態に移行する。
一方、冷媒の漏洩を検知した場合には（ステップＳ１０８；Ｙｅｓ）、制御装置６０は、送風を継続し、時間カウントをリセットし（ステップＳ１１０）、ステップＳ１０６に移行する。
【００３７】
なお、２方向上下同期間吹き運転については、冷媒漏洩時以外にもリモコン等による操作で移行可能、または中断可能としてもよいこととする。以上の仕組みにより、可燃性冷媒の漏洩に伴う漏洩冷媒への着火リスクを大きく低減できる。
また、冷媒漏洩検出時に送風ファン５による風量を調整することで、送風の影響範囲を変化させるようにしてもよい。これにより、漏洩した可燃性冷媒を迅速に拡散することが可能になる。
【００３８】
本実施の形態１では、室内機１００が床置き形空気調和機の室内機である場合を例に説明したが、これに限定するものではなく、例えば壁掛け形空気調和機の室内機に適用することも可能である。
【００３９】
以上のように、室内機１００は、冷凍サイクルを構成する冷媒回路に可燃性冷媒を使用しているものであって、前面下部に形成された吸込口２、前面上部に形成された１つの吹出口３、及び、吸込口２と吹出口３とを連通する風路４を有する筐体１と、風路４内に設けられた熱交換器１１と、風路４内に設けられ、風路４内を空気の流れを作る送風ファン５と、筐体１の内部に位置し、熱交換器１１に可燃性冷媒を供給する配管同士が接続されている配管接続部５１と、吹出口３に設けられ、吹出口３から吹き出される空気流を同期間に上下２方向に分割する風向調整部７０と、を有している。
【００４０】
したがって、室内機１００によれば、風向調整部７０を有しているので、可燃性冷媒が配管接続部５１から漏洩したとしても、冷媒拡散における床面に吹き付ける場合と天井に吹きあげる場合の両方の利点を、実現できる冷媒漏洩対策機能、すなわち２方向上下同期間吹き運転を実行することができ、可燃性冷媒の濃度を効果的に低減できる。
【００４１】
また、室内機１００は、筐体１内に設けられ、配管接続部５１からの可燃性冷媒の漏洩を検知する冷媒漏洩検知手段（冷媒センサー５０）と、冷媒漏洩検知手段からの情報によって配管接続部５１から可燃性冷媒の漏洩を検知したとき風向調整部７０の向きを変更する制御装置６０と、を有する。
【００４２】
そのため、室内機１００によれば、上吹きによって運ばれた冷媒と空気の混合気体は、大気中に放出されることによりさらに空気と混合されて濃度がさらに低下し、また下吹きによって運ばれた冷媒と空気の混合気体は、空気と混じり合いながら吸込風の届かない範囲まで到達し、留まっている冷媒を吹き散らす、又は一定個所に留まることを防げる。
【００４３】
また、室内機１００は、制御装置６０が、配管接続部５１から可燃性冷媒の漏洩を検知したとき、送風ファン５による風量を調整する。
そのため、室内機１００によれば、送風ファン５による送風の影響範囲を変化させることができ、漏洩した可燃性冷媒を迅速に拡散することが可能になる。
【００４４】
また、室内機１００は、風向調整部７０が、少なくとも３つの風向板（第１風向板７０ａ、第２風向板７０ｂ、第３風向板７０ｃ）で構成されている。
そのため、室内機１００によれば、３つの風向板の向きを調整することによって、特に複雑な構成を備えることなく、２方向上下同期間吹き運転を実行することができる。
【００４５】
また、室内機１００は、３つの風向板のうち最も上流側に設置されている第１風向板７０ａによって空気流を上下２方向に分割し、３つの風向板のうち第１風向板７０ａよりも下流側に設置されている第２風向板７０ｂ及び第３風向板７０ｃによって分割した空気流を合流させずに下吹き及び上吹きとする。
そのため、室内機１００によれば、上流側から下流側にかけて配置されている３つの風向板の向きを調整することによって、効率的な２方向上下同期間吹き運転が実現する。
【００４６】
また、室内機１００は、筐体１が床置き形である。
そのため、室内機１００によれば、床面に可燃性冷媒が漏洩した際に特に効果を発揮することになる。
【００４７】
実施の形態２．
図７は、本発明の実施の形態２に係る空気調和機の室内機（以下、室内機１０１と称する）の吹出口部分の構成を拡大して模式的に示した拡大図である。図８は、室内機１０１の左右吹き運転の際の風向調整部７１の動作を説明するための上面図である。図７及び図８に基づいて、室内機１０１の構成及び動作について説明する。
なお、本実施の形態２では実施の形態１との相違点を中心に説明し、実施の形態１と同一部分には、同一符号を付して説明を省略するものとする。
【００４８】
実施の形態１では、少なくとも３つの風向板（第１風向板７０ａ、第２風向板７０ｂ、第３風向板７０ｃ）を備えた室内機１００について説明したが、本実施の形態２では、少なくとも３つの風向板（第１風向板７０ａ、第２風向板７０ｂ、第３風向板７０ｃ）と、垂直風向板７１ｄと、を備えた室内機１０１について説明する。
【００４９】
図７及び図８に示すように、室内機１０１は、風向調整部７１を有している。風向調整部７１は、実施の形態１で説明した風向調整部７０と同様に、吹出口３に設けられており、空気流と接触することで空気流の向きを変える、または分岐させるものである。風向調整部７１の向きは変更可能であり、風向調整部７１の向きにより空気流の向き、空気流の分岐数を変化させることが可能になっている。風向調整部７１の向きを変更するとき、空気流の届く位置、範囲を変化させる手段として、風量の変化を用いてもよい。風向調整部７１の駆動は、制御装置６０が実行する。
【００５０】
風向調整部７１は、第１風向板７０ａ、第２風向板７０ｂ、第３風向板７０ｃ、及び、垂直風向板７１ｄにより構成されている。第１風向板７０ａ、第２風向板７０ｂ、及び、第３風向板７０ｃについては、実施の形態１で説明した通りである。
垂直風向板７１ｄは、第１風向板７０ａ、第２風向板７０ｂ、及び、第３風向板７０ｃよりも下方に設置されている。
垂直風向板７１ｄは、室内機１０１の風路４に対して垂直となるように設けられている。
なお、垂直風向板７１ｄが、本発明の「左右風向板」に相当する。
【００５１】
垂直風向板７１ｄは、図８に示すように、風路４に対し水平方向に回転可能となっている。そのため、水平方向に対して角度を持った垂直風向板７１ｄと空気流とが接触することにより、下吹きの空気流の流れ方向を左右方向に変更することが可能となっている。その他の構成については、室内機１００と同一である。
【００５２】
したがって、室内機１０１によれば、風向調整部７１を有しているので、可燃性冷媒が配管接続部５１から漏洩したとしても、２方向上下同期間吹き運転と合わせて、さらに下吹きの風向を左右にスイングさせる運転を実行することができ、より広範囲に下吹きの空気流を送ることが可能となり、より短時間での冷媒拡散が可能になる。
【００５３】
実施の形態３．
図９は、本発明の実施の形態３に係る空気調和機の室内機（以下、室内機１０２と称する）の左右吹き運転の際の風向調整部７１の動作を説明するための上面図である。図９に基づいて、室内機１０２の構成及び動作について説明する。
なお、本実施の形態３では実施の形態１、２との相違点を中心に説明し、実施の形態１、２と同一部分には、同一符号を付して説明を省略するものとする。
【００５４】
実施の形態２では、少なくとも３つの風向板（第１風向板７０ａ、第２風向板７０ｂ、第３風向板７０ｃ）と、垂直風向板７１ｄと、を備えた室内機１０１について説明したが、本実施の形態３では、垂直風向板７１ｄに代えて、互いに独立して駆動される第１垂直風向板７２ｅ、第２垂直風向板７２ｆを備えた室内機１０２について説明する。
【００５５】
図９に示すように、室内機１０２は、風向調整部７２を有している。風向調整部７２は、実施の形態１で説明した風向調整部７０と同様に、吹出口３に設けられており、空気流と接触することで空気流の向きを変える、または分岐させるものである。風向調整部７２の向きは変更可能であり、風向調整部７２の向きにより空気流の向き、空気流の分岐数を変化させることが可能になっている。風向調整部７２の向きを変更するとき、空気流の届く位置、範囲を変化させる手段として、風量の変化を用いてもよい。風向調整部７２の駆動は、制御装置６０が実行する。
【００５６】
風向調整部７２は、第１風向板７０ａ、第２風向板７０ｂ、第３風向板７０ｃ、第１垂直風向板７２ｅ、及び、第２垂直風向板７２ｆにより構成されている。第１風向板７０ａ、第２風向板７０ｂ、及び、第３風向板７０ｃについては、実施の形態１で説明した通りである。
第１垂直風向板７２ｅ及び第２垂直風向板７２ｆは、実施の形態２で説明した垂直風向板７１ｄと同様に、第１風向板７０ａ、第２風向板７０ｂ、及び、第３風向板７０ｃよりも下方に設置されている。
第１垂直風向板７２ｅ及び第２垂直風向板７２ｆは、室内機１０１の風路４に対して垂直となるように設けられている。
なお、第１垂直風向板７２ｅ及び第２垂直風向板７２ｆが、本発明の「左右風向板」に相当する。
【００５７】
第１垂直風向板７２ｅ、及び、第２垂直風向板７２ｆは、図９に示すように、風路４に対し水平方向に回転可能となっており、それぞれ独立に向きの変更が可能になっている。そのため、水平方向に対して角度を持った第１垂直風向板７２ｅ及び第２垂直風向板７２ｆと空気流とが接触することにより、下吹きの空気流の流れ方向を左右方向に変更することが可能となっている。また、第１垂直風向板７２ｅ及び第２垂直風向板７２ｆはそれぞれが独立に回転が可能であるから、第１垂直風向板７２ｅ及び第２垂直風向板７２ｆがそれぞれ異なる角度に回転されることで、空気流を左右２方向に分割することが可能となっている。その他の構成については、室内機１００又は室内機１０１と同一である。
【００５８】
したがって、室内機１０２によれば、風向調整部７２を有しているので、可燃性冷媒が配管接続部５１から漏洩したとしても、２方向上下同期間吹き運転と合わせて、さらに下吹きの風向を左右に分割させる運転を実行することができ、より広範囲に下吹きの空気流を送ることが可能となり、より短時間での冷媒拡散が可能になる。また、室内機１０２によれば、下吹きの空気流を左右に分割することで吹出風がそのまま吸込風となるショートサイクルも低減でき、より効率良く吸込口２より漏洩冷媒を取り込むことが可能となる。
【００５９】
なお、第１垂直風向板７２ｅ、及び、第２垂直風向板７２ｆは、それぞれ独立して向きが制御されるようになっているが、いずれも同じ向きに制御して、全体としての風向を左右にスイングさせるようにしてもよい。そのため、室内機１０２によれば、２方向上下同期間吹き運転と合わせて、さらに下吹きの風向を全体として左右にスイングさせる運転を実行することができ、より広範囲に下吹きの空気流を送ることが可能となり、より短時間での冷媒拡散が可能になる。
【００６０】
実施の形態４．
図１０は、本発明の実施の形態４に係る空気調和機の室内機（以下、室内機１０３と称する）を分解した状態を示す分解斜視図である。図１０に基づいて、室内機１０３の構成及び動作について説明する。
なお、本実施の形態４では実施の形態１〜３との相違点を中心に説明し、実施の形態１〜３と同一部分には、同一符号を付して説明を省略するものとする。また、室内機１０３が風向調整部７０を備えている場合を例に示しているが、風向調整部７１又は風向調整部７２を室内機１０３に備えるようにしてもよい。
【００６１】
実施の形態１では、前面パネル８０に吸込口２が形成された室内機１００について説明したが、本実施の形態４では、シャッター構造を吸込口２に備えた前面パネル（以下、前面パネル８３と称する）を有する室内機１０３について説明する。
【００６２】
図１０に示すように、室内機１０３は、吸込口２を開閉できるシャッター構造を備えた前面パネル８３を有している。シャッター構造は、前面パネル８３の吸込口２を塞ぐことができ、筐体１の中央で分割された第１シャッター８３ａ及び第２シャッター８３ｂで構成されている。シャッター構造の駆動は、制御装置６０が実行する。なお、その他の構成については、室内機１００、室内機１０１、又は、室内機１０２と同一である。
【００６３】
第１シャッター８３ａ及び第２シャッター８３ｂは、冷媒の漏洩検知に基づいて開閉が制御されるようになっている。例えば、配管接続部５１で冷媒漏洩が検知された場合、冷媒の漏洩箇所に近い側の第２シャッター８３ｂを開放し、冷媒の漏洩箇所に遠い側の第１シャッター８３ａを閉じる。こうすることで、吸込口２が全く閉塞されていない時よりも、吸込口２の片側を閉じることで吸込風の空気流の速度を上昇させることができ、冷媒漏洩個所に近い領域の空気を集中的に、より速く吸込むことが可能となる。
【００６４】
したがって、室内機１０３によれば、吸込口２にシャッター構造を有しているので、可燃性冷媒が配管接続部５１から漏洩したとしても、２方向上下同期間吹き運転と合わせて、冷媒漏洩個所に近い領域の空気を集中的に、より速く吸込むことができ、より短時間での冷媒拡散が可能になる。
【００６５】
実施の形態５．
図１１及び図１２は、本発明の実施の形態５に係る空気調和機の室内機（以下、室内機１０４と称する）の構成の一例を模式的に示す側面図である。図１１及び図１２に基づいて、室内機１０４の構成及び動作について説明する。
なお、本実施の形態５では実施の形態１〜４との相違点を中心に説明し、実施の形態１〜４と同一部分には、同一符号を付して説明を省略するものとする。また、室内機１０４が風向調整部７０を備えている場合を例に示しているが、風向調整部７１又は風向調整部７２を室内機１０３に備えるようにしてもよい。
【００６６】
本実施の形態５では、風路４内に吸い込まれる空気に含まれている塵埃を除去するフィルタ９０を巻き取りすることができるフィルタ巻き取り装置９１を備えた室内機１０４について説明する。図１１では、フィルタ９０がフィルタ巻き取り装置９１により巻き取られていない状態を示し、図１２では、フィルタ９０がフィルタ巻き取り装置９１により巻き取られた状態を示している。
【００６７】
図１１及び図１２に示すように、室内機１０４は、筐体１にフィルタ巻き取り装置９１を備えている。フィルタ巻き取り装置９１は、フィルタ９０を巻き取り可能に構成されている。フィルタ巻き取り装置９１の駆動は、制御装置６０が実行する。なお、その他の構成については、室内機１００、室内機１０１、室内機１０２、又は、室内機１０３と同一である。
【００６８】
フィルタ巻き取り装置９１は、冷媒の漏洩検知に基づいて駆動が制御されるようになっている。例えば、冷媒漏洩が検知された場合、フィルタ巻き取り装置９１がフィルタ９０を巻き取り、風路４からフィルタ９０を取り除く（図１１→図１２）。こうすることで、風路４に障害物がなくなり、吸込風の空気流の速度を上昇させることができ、より速く吸込むことが可能となる。
【００６９】
したがって、室内機１０４によれば、フィルタ９０を巻き取り可能なフィルタ巻き取り装置９１を有しているので、可燃性冷媒が配管接続部５１から漏洩したとしても、２方向上下同期間吹き運転と合わせて、風路４からフィルタ９０を取り除くことができ、より短時間での冷媒拡散が可能になる。
【符号の説明】
【００７０】
１  筐体、２  吸込口、３  吹出口、４  風路、５  送風ファン、１１  熱交換器、１２  前面側熱交換器、１３  背面側熱交換器、３０  ドレンパン、５０  冷媒センサー、５１  配管接続部、６０  制御装置、７０  風向調整部、７０ａ  第１風向板、７０ｂ  第２風向板、７０ｃ  第３風向板、７１  風向調整部、７１ｄ  垂直風向板、７２  風向調整部、７２ｅ  第１垂直風向板、７２ｆ  第２垂直風向板、８０  前面パネル、８３  前面パネル、８３ａ  第１シャッター、８３ｂ  第２シャッター、９０  フィルタ、９１  フィルタ巻き取り装置、１００  室内機、１０１  室内機、１０２  室内機、１０３  室内機、１０４  室内機。
【図１】
2017168834.tif 000003
【図２】
2017168834.tif 000004
【図３】
2017168834.tif 000005
【図４】
2017168834.tif 000006
【図５】
2017168834.tif 000007
【図６】
2017168834.tif 000008
【図７】
2017168834.tif 000009
【図８】
2017168834.tif 000010
【図９】
2017168834.tif 000011
【図１０】
2017168834.tif 000012
【図１１】
2017168834.tif 000013
【図１２】
2017168834.tif 000014
【手続補正書】
【提出日】平成30年6月7日(2018.6.7)
【手続補正１】
【補正対象書類名】明細書
【補正対象項目名】００１０
【補正方法】変更
【補正の内容】
【００１０】
本発明に係る空気調和機の室内機は、冷凍サイクルを構成する冷媒回路に可燃性冷媒を使用している空気調和機の室内機であって、前面下部に形成された吸込口、前面上部に形成された１つの吹出口、及び、前記吸込口と前記吹出口とを連通する風路を有する筐体と、前記風路内に設けられた熱交換器と、前記風路内に設けられ、前記風路内に空気の流れを作る送風ファンと、前記吹出口に設けられ、前記吹出口から吹き出される空気流を同期間に上下２方向に分割する風向調整部と、前記筐体の内部に位置し、前記熱交換器に前記可燃性冷媒を供給する配管同士が接続されている配管接続部と、前記筐体内に設けられ、前記配管接続部からの前記可燃性冷媒の漏洩を検知する冷媒漏洩検知手段と、前記筐体に設けられたフィルタと、前記筐体に設けられ、前記フィルタを巻き取るフィルタ巻き取り装置と、前記送風ファン、前記風向調整部及び前記フィルタ巻き取り装置を制御する制御装置と、を有し、前記制御装置は、前記冷媒漏洩検知手段からの情報によって前記配管接続部から前記可燃性冷媒の漏洩を検知したとき、前記風向調整部の向きを変更するとともに、前記送風ファンを駆動させた状態で前記フィルタ巻き取り装置を駆動して前記風路から前記フィルタを取り除くものである。
【手続補正２】
【補正対象書類名】特許請求の範囲
【補正対象項目名】全文
【補正方法】変更
【補正の内容】
【特許請求の範囲】
【請求項１】
冷凍サイクルを構成する冷媒回路に可燃性冷媒を使用している空気調和機の室内機であって、
前面下部に形成された吸込口、前面上部に形成された１つの吹出口、及び、前記吸込口と前記吹出口とを連通する風路を有する筐体と、
前記風路内に設けられた熱交換器と、
前記風路内に設けられ、前記風路内に空気の流れを作る送風ファンと、
前記吹出口に設けられ、前記吹出口から吹き出される空気流を同期間に上下２方向に分割する風向調整部と、
前記筐体の内部に位置し、前記熱交換器に前記可燃性冷媒を供給する配管同士が接続されている配管接続部と、
前記筐体内に設けられ、前記配管接続部からの前記可燃性冷媒の漏洩を検知する冷媒漏洩検知手段と、
前記筐体に設けられたフィルタと、
前記筐体に設けられ、前記フィルタを巻き取るフィルタ巻き取り装置と、
前記送風ファン、前記風向調整部及び前記フィルタ巻き取り装置を制御する制御装置と、を有し、
前記制御装置は、
前記冷媒漏洩検知手段からの情報によって前記配管接続部から前記可燃性冷媒の漏洩を検知したとき、前記風向調整部の向きを変更するとともに、前記送風ファンを駆動させた状態で前記フィルタ巻き取り装置を駆動して前記風路から前記フィルタを取り除く
空気調和機の室内機。
【請求項２】
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、下吹きの風向を左右にスイングさせる
請求項１に記載の空気調和機の室内機。
【請求項３】
前記風向調整部は、風向を左右に変化させる左右風向板を有し、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右にスイングさせる
請求項１に記載の空気調和機の室内機。
【請求項４】
前記風向調整部は、風向を左右に変化させる左右風向板を有し、
前記左右風向板は、前記筐体の中央を中心に左右でそれぞれ異なる向きに制御できるように構成されており、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右２方向に分割させる
請求項１に記載の空気調和機の室内機。
【請求項５】
前記風向調整部は、風向を左右に変化させる左右風向板を有し、
前記左右風向板は、前記筐体の中央を中心に左右でそれぞれ異なる向きに制御できるように構成されており、
前記制御装置は、
前記冷媒漏洩検知手段からの情報によって前記配管接続部から前記可燃性冷媒の漏洩を検知したとき、
前記風向調整部を制御して、空気流を上下２方向に分割させ、かつ、空気流を左右２方向でスイングさせる
請求項１に記載の空気調和機の室内機。
【請求項６】
前記吸込口を開閉できるシャッター構造を備え、
前記シャッター構造は、前記筐体の中央を中心として左右に分割されており、
前記制御装置は、
前記シャッター構造を制御して前記吸込口の片側を閉じる
請求項１〜５のいずれか一項に記載の空気調和機の室内機。
【請求項７】
前記風向調整部は、
少なくとも３つの上下風向板で構成されており、
前記３つの上下風向板のうち最も上流側に設置されている第１風向板によって空気流を上下２方向に分割し、
前記３つの上下風向板のうち前記第１風向板よりも下流側に設置されている第２風向板及び第３風向板によって分割した空気流を合流させずに下吹き及び上吹きとする
請求項１〜６のいずれか一項に記載の空気調和機の室内機。
【国際調査報告】
2017168834.tif 000015
2017168834.tif 000016
2017168834.tif 000017
2017168834.tif 000018